(57)【特許請求の範囲】
【請求項１】
本体カバー上面が、コントロールボックスを左右両側に備えた運転席の取付け用スペースとして占有され、その本体カバー内にエンジン、冷却装置、タンク並びに電装品等が収納されている小型建設機械において、
前記本体カバー上面が、前記コントロールボックスを上面に支持した状態で当該本体カバーの前面上縁部に設けられた回動支点を中心に回動することにより開閉する左右のボックスカバーと、このボックスカバーと独立して設けられ前記運転席を固定した状態で前記ボックスカバーと同じ方向に開閉する天板部とに分割され、
前記冷却装置、タンク、電装品等の点検対象機器が前記ボックスカバーに対応してその下方に振り分けて配置されるとともに前記エンジンが前記天板部の下方に配置され、
前記ボックスカバーは前記点検対象機器の点検用開口を開閉するように構成され、前記天板部は前記エンジン点検用の開口を開閉するように構成され、前記ボックスカバーと前記天板部の両方を開くことにより前記本体カバー上面全体を点検用開口として開放することができるように構成されていることを特徴とする小型建設機械。
【請求項２】
一方のコントロールボックスの下方に前記冷却装置としてのラジエータが配置され、他方のコントロールボックスの下方に作動油タンク、及び前記電装品としてのバッテリが配置されている請求項１記載の小型建設機械。
【発明の詳細な説明】
【０００１】
【発明の属する技術分野】
本発明は油圧ショベル等の建設機械に関し、より詳しくは運転席の下方にエンジンを配置してショベル本体を小型化した小型建設機械に関するものである。
【０００２】
【従来の技術】
従来、ミニショベル等と称される小型油圧ショベルでは、ショベル本体をできる限りコンパクトにするため、本体カバー内に設けられるエンジンを運転席下方にレイアウトしている。本体カバー内にはエンジン以外にラジエータ等の冷却装置、油圧機器、作動油タンク、燃料タンク、電装品等が配設されている。
【０００３】
上記ラジエータは通常、エンジンの冷却ファン側に配置されるが、それ以外の油圧機器、タンク、電装品等の配置については特に決まりはなくショベル毎に異なっている。また。本体カバー内の機器をメンテナンスする場合、例えばラジエータについてエンジン冷却水の補給や交換を行なう場合、図７に示すように、ラジエータ５０の据付位置に対応して本体カバー５１の一部を開閉できるようにしたラジエータカバー５１ａを上方に開いて作業が行なわれている。
【０００４】
【発明が解決しようとする課題】
ところが小型油圧ショベルの中でも、本体カバーの天板が運転席据付け用のスペースとして占有されてしまうような小型油圧ショベルでは、運転席が邪魔をして本体カバーの一部を上方に開閉させる構成を採用することができない。そこで、メンテナンス時には重量物である運転席とともに本体カバーを開閉せざるを得ない。しかも、一部の機器をメンテナンスする場合であっても常に運転席とともに本体カバーを開閉しなければならず、作業性が悪いという問題がある。
【０００５】
本発明は以上のような従来の小型建設機械における課題を考慮してなされたものであり、本体カバー天板が運転席据付けスペースとして占有される小型建設機械であっても機器のメンテナンスを簡便に行なうことができる小型建設機械を提供するものである。
【０００６】
【課題を解決するための手段】
請求項１の本発明は、本体カバー上面が、コントロールボックスを左右両側に備えた運転席の取付け用スペースとして占有され、その本体カバー内にエンジン、冷却装置、タンク並びに電装品等が収納されている小型建設機械において、前記本体カバー上面が、前記コントロールボックスを上面に支持した状態で当該本体カバーの前面上縁部に設けられた回動支点を中心に回動することにより開閉する左右のボックスカバーと、このボックスカバーと独立して設けられ前記運転席を固定した状態で前記ボックスカバーと同じ方向に開閉する天板部とに分割され、前記冷却装置、タンク、電装品等の点検対象機器が前記ボックスカバーに対応してその下方に振り分けて配置されるとともに前記エンジンが前記天板部の下方に配置され、前記ボックスカバーは前記点検対象機器の点検用開口を開閉するように構成され、前記天板部は前記エンジン点検用の開口を開閉するように構成され、前記ボックスカバーと前記天板部の両方を開くことにより前記本体カバー上面全体を点検用開口として開放することができるように構成されている小型建設機械である。
【０００７】
この発明では、ボックスカバーが、本体カバーの前面上縁部に設けられたヒンジを介して本体カバーに連結され、そのヒンジを支点として開閉できるように構成されていることが、より好ましい。
【０００８】
請求項２の本発明は、一方のコントロールボックスの下方に冷却装置としてのラジエータが配置され、他方のコントロールボックスの下方に作動油タンク、及び電装品としてのバッテリが配置されている請求項１記載の小型建設機械である。
【０００９】
請求項１の本発明に従えば、運転席の左右両側に配置されるコントロールボックスに対応させてその下方に点検対象機器を振り分けて配置したため、コントロールボックスを移動させると点検整備用開口が現れ、その点検整備用開口を通して機器を点検または整備することができる。また、コントロールボックスが固定されているボックスカバーと運転席が固定されている天板部の両方を本体カバーの前面上縁部に設けられた回動支点を中心として同じ方向に開くことにより、本体カバー上面全体が開放され、エンジン等のメンテナンスが行なえる。
【００１０】
さらに、本体カバーにおける左右方向各外側で機器のメンテナンスを行なうことができる。
【００１１】
ここで、前記ボックスカバーが、本体カバーの前面上縁部に設けられたヒンジを介して本体カバーに連結され、そのヒンジを支点として開閉できるように構成されていれば、コントロールボックスがヒンジを支点として前方に回転し、点検整備用開口を大きく開放することができる。
【００１２】
請求項２の本発明に従えば、一方のコントロールボックスを移動させると、ラジエータについてエンジン冷却水の点検、交換が行なえ、他方のコントロールボックスを移動させると、作動油タンクについて作動油の補給及びバッテリについてバッテリ液の補充が行なえる。従ってメンテナンス対象となる機器を、個別に開放できる点検整備用開口から点検することが可能になる。
【００１３】
【発明の実施の形態】
以下、図面に示した実施の形態に基づいて本発明を詳細に説明する。
【００１４】
図１は本発明が適用される小型建設機械としての小型油圧ショベルの外観を示したものである。
【００１５】
同図において、小型油圧ショベル１は、クローラ式走行体２上に上部旋回体３が旋回自在に搭載されており、ショベル本体４が構成されている。
【００１６】
上部旋回体３上には運転席５が設けられ、その運転席５のシート下方である本体カバー６内に、図示しないエンジンユニットや油圧機器、電装品等が収納されている。運転席５の左右両側には操作レバー７を備えたコントロールボックス８が備えられている。また、本体カバー６の側壁には、冷却風を取り入れるためのスリット状の冷却風取入口６ａが複数形成されている。
【００１７】
上部旋回体３の前部には作業アタッチメント９が装着されており、この作業アタッチメント９は、ブームシリンダ１０ａによって起伏動作するブーム１０と、そのブーム１０の先端部に連結されアームシリンダ１１ａによって回動するアーム１１と、そのアーム１１の先端部に連結されバケットシリンダ１２ａによって回動するバケット１２とから構成されている。なお、同図に示すブーム１０は、溝掘り作業がし易いように縦軸まわりで左右方向にスイング動作するように構成されており、そのスイング動作はスイングシリンダ１３の伸縮によって行なわれる。
【００１８】
図２は図１に示した運転席５部分のレイアウトを示したものである。同図において、運転席５の右側には右操作レバー２０を含む右コントロールボックス２１が備えられ、運転席５の左側には左操作レバー２２を含む左コントロールボックス２３が備えられている。２４及び２５は乗降遮断レバーであり、乗降時に引き上げると右または左コントロールボックス２１，２３が連動して跳ね上がり、同時に全操作がロックされて誤作動を防止するようになっている。
【００１９】
図３は本体カバー６内部の機器レイアウトを示しており、図２に示す本体カバー６を取り外した状態を示している。右コントロールボックス２１の下方にはラジエータ２７が前後方向に配置されており、ラジエータ２７の略中央にはラジエータキャップ２７ａが備えられている。なお、２７ｂはホース２７ｃを介して接続されているサブタンクである。
【００２０】
一方、左コントロールボックス２３の下方には作動油タンク２８及び電装品としてのバッテリ２９が前後方向に配設されている。作動油タンク２８の上面には４本のキャップスクリュー２８ａで固定されるカバー２８ｂが備えられ、そのカバー２８ｂを取り外すと、フィルタを交換することができるようになっている。なお、２８ｃは給油口のプラグであり、また、３０は作動油タンク２８の後方に配置された燃料タンクであり、３０ａはその給油口である。
【００２１】
次に、各コントロールボックス２１，２３の構成について説明する。
【００２２】
図４は右コントロールボックス２１の開閉構造を示したものである。同図（ａ）において、コントロールボックス２１は長方形状のボックスカバー３１に支持されており、そのボックスカバー３１の前端は、本体カバー６の前面上縁部に設けられたヒンジ３２を介して本体カバー６と連結されている。従ってコントロールボックス２１はヒンジ３２を支点としてボックスカバー３１と一体に矢印Ａ方向に回転させることができるようになっている。
【００２３】
回転させることによって持ち上げられたボックスカバー３１の後端は、支柱３３によって保持されるようになっており、この状態でラジエータ２７の上方に点検整備用の開口Ｂが確保される。その開口Ｂを通してラジエータ２７をメンテナンスすることができる。
【００２４】
なお、支柱３３は図５に示すように、ボックスカバー３１の裏面３１ａに保持されるＳ字状部材からなり、裏面３１ａに固着された軸受け３１ｂに一方端３３ａを挿通しＥリング３１ｃを装着して抜け止めを防止している。３１ｄはその支柱３３を脱着自在に保持する弾性部材からなるクランプである。この支柱３３の他方端３３ｂはＬ字状に折り曲げられ、本体カバー側に設けられた係止孔部３４に係止されるようになっている。
【００２５】
図４（ｂ）はコントロールボックス２１を閉じた状態を示している。ボックスカバー３１は本体カバー６の天板の一部を構成しており、ラジエータ２７の上方を覆うようになっている。また、Ｓ1は点検整備用開口Ｂの横幅を示している。
【００２６】
また、図６は左コントロールボックス２３の開閉構造を示したものであり、基本的には右コントロールボックス２１の開閉構造と同じ構成からなる。同図（ａ）は左コントロールボックス２３を閉じた状態を示しており、本体カバー６の天板の一部を構成し、作動油タンク２８とバッテリ２９上方を覆うようになっている。Ｓ2は後述する点検整備用開口Ｄの横幅を示している。
【００２７】
図６（ｂ）において、左コントロールボックス２３はボックスカバー３５に支持されており、そのボックスカバー３５のヒンジ部３６を介して矢印Ｃ方向に回転させることができるようになっている。
【００２８】
ボックスカバー３５の後端は、支柱３７によって保持されるようになっており、それにより作動油タンク２８及びバッテリ２９の上方に点検整備用の開口Ｄが確保される。この状態で作動油タンク２８のカバー２８ｂを取り外し、作動油タンク２８のメンテナンス、具体的には、フィルタ２８ｄを交換することができる。また、レベルゲージ２８ｅで油量の不足が確認された場合には、プラグ２８ｃを外して作動油を補給することができる。
【００２９】
また、運転席５は本体カバーの天板部４０に固定されており（図２参照）、その天板部４０は左右のコントロールボックス２１及び２３とは独立してそれらの開閉方向と同じ方向に開閉することができるようになっている。従って、ボックスカバー３１，３５及び天板部４０のすべてを開放すれば、本体カバー６の上部全体が開放され、図示しないエンジン、燃料タンク等が現れる。なお、エンジン等のメンテナンスを行なう場合には、本体カバー６後部のエンジンガードも開かれる。
【００３０】
本発明において、コントロールボックスの移動は上記実施形態で示したように上方且つ前方に回転させることが、点検整備用開口を広く取れメンテナンスの作業性が良好になる点で好ましい。
【００３１】
本発明の小型建設機械は上記実施形態に示した小型油圧ショベルに限らず、小型のホイールドーザ、小型クレーンにも適用することができる。
【００３２】
【発明の効果】
以上説明したことから明らかなように、請求項１の本発明によれば、コントロールボックスに対応させてその下方に点検を必要とする機器を配置したため、コントロールボックスを移動させることにより点検対象機器を点検することができる。また、コントロールボックスが固定されているボックスカバーと運転席が固定されている天板部の両方を本体カバーの前面上縁部に設けられた回動支点を中心として同じ方向に開くことにより、本体カバー上面全体が開放され、エンジン等のメンテナンスが行なえる。
【００３３】
請求項２の本発明に従えば、メンテナンス対象となる機器を、個別に開放できる点検整備用開口から点検することが可能になる。
【図面の簡単な説明】
【図１】本発明に係る小型建設機械の全体構成を示す正面図である。
【図２】図１に示す運転席部分の平面図である。
【図３】本体カバー内の機器レイアウトを示す平面図である。
【図４】（ａ）は右コントロールボックスの側面図、（ｂ）はその正面図である。
【図５】コントロールボックス裏面に装着された支柱を示す説明図である。
【図６】（ａ）は左コントロールボックスの正面図、（ｂ）はその側面図である。
【図７】従来の小型油圧ショベルにおけるメンテネンス方法を示す説明図である。
【符号の説明】
１  小型油圧ショベル
２  クローラ式走行体
３  上部旋回体
４  ショベル本体
５  運転席
６  本体カバー
７  操作レバー
８  コントロールボックス
２０  操作レバー
２１  右コントロールボックス
２３  左コントロールボックス
２７  ラジエータ
２８  作動油タンク
２９  バッテリ
３１  ボックスカバー
【図１】
0003610840.tif 000002
【図２】
0003610840.tif 000003
【図３】
0003610840.tif 000004
【図４】
0003610840.tif 000005
【図５】
0003610840.tif 000006
【図６】
0003610840.tif 000007
【図７】
0003610840.tif 000008